【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
双方向メディアガイダンスアプリケーションにおいて、関連性に基づいて検索結果を限定するための方法であって、
検索基準に一致する項目を求めて、メディアガイダンスアプリケーションデータのデータベースを検索することと、
前記検索基準に一致する項目が、関連性閾値を満たすか否かを決定することと、
前記関連性閾値を満たす項目の数が最小数を満たすか否かを決定することと、
前記一致する項目から、前記関連性閾値を満たすまたは超えると決定された一致する項目のみを有する表示を生成することと
を含む、方法。
【請求項２】
前記検索基準は、キーワードを含み、
前記検索基準に一致する各項目は、複数の単語を含み、
前記関連性閾値は、前記キーワードに一致する前記項目における定義された単語数の割合を含む、請求項１に記載の方法。
【請求項３】
前記双方向メディアガイダンスアプリケーションのユーザのための個人化データに基づいて、前記関連性閾値を決定することをさらに含む、請求項１に記載の方法。
【請求項４】
前記方法は、明示されたユーザメディア選好から前記ユーザ個人化データを生成することをさらに含む、請求項３に記載の方法。
【請求項５】
前記方法は、前記双方向メディアガイダンスアプリケーションとのユーザ対話を監視することによって、前記ユーザ個人化データを生成することをさらに含む、請求項３に記載の方法。
【請求項６】
前記関連性閾値を満たす項目の数が、最小数未満であることを決定することと、
前記関連性閾値を満たす項目の数が前記最小数未満であると決定されたことに応答して、前記関連性閾値を満たす項目の数が前記最小数を満たすまで前記関連性閾値を段階的に下げることと
をさらに含む、請求項１に記載の方法。
【請求項７】
時刻に基づいて、複数の関連性閾値から前記関連性閾値を選択することをさらに含み、前記複数のうちの各閾値は、異なる時刻に関連付けられる、請求項１に記載の方法。
【請求項８】
前記表示は、前記表示における前記項目を関連性によって順序付けすることを含む、請求項１に記載の方法。
【請求項９】
前記関連性閾値は、双方向メディアガイダンスアプリケーションのプログラミング命令において定義される、請求項１に記載の方法。
【請求項１０】
前記関連性閾値は、双方向メディアガイダンスアプリケーションによって受け取られるデータにおいて特定される、請求項１に記載の方法。
【請求項１１】
検索される項目は、番組タイトル、番組一覧、番組内容、または番組の場面を記述するメタデータにおける単語である、請求項１に記載の方法。
【請求項１２】
前記検索基準は、ユーザから受け取られる、請求項１に記載の方法。
【請求項１３】
前記検索基準は、前記双方向メディアガイダンスアプリケーションのユーザのための個人化データに基づいて、前記双方向メディアガイダンスアプリケーションによって生成される、請求項１に記載の方法。
【請求項１４】
前記表示を生成することは、テキスト、グラフィック、または映像を使用して、前記項目を表すことを含む、請求項１に記載の方法。
【請求項１５】
前記表示を生成することは、リストとして表示される前記表示された項目、グラフィックモザイク、または映像モザイクを有する前記表示を生成することを含む、請求項１に記載の方法。
【請求項１６】
前記双方向メディアガイダンスアプリケーションは、双方向テレビ番組ガイドである、請求項１に記載の方法。
【請求項１７】
双方向テレビ番組ガイドにおいて検索結果を限定するための方法であって、
ユーザ入力インターフェースを使用して、ユーザによる検索基準入力を受け取ることと、
前記検索基準に一致する番組を求めて、番組ガイドデータベースを検索することと、
前記一致する番組のどれが、前記ユーザに関連し得るかを決定することと、
前記関連する結果のみを有する検索結果表示を生成することと
を含む、方法。
【請求項１８】
関連性に基づいて検索結果を限定するための双方向メディアガイダンスシステムであって、
検索基準に一致する項目を求めて、メディアガイダンスアプリケーションデータのデータベースを検索することと、
前記検索基準に一致する項目が、関連性閾値を満たすか否かを決定することと、
前記関連性閾値を満たす項目の数が最小数を満たすか否かを決定することと、
前記一致する項目から、前記関連性閾値を満たすまたは超えると決定された一致する項目のみを含む表示を生成することと
を行うように構成される処理回路を備える、双方向メディアガイダンスシステム。
【請求項１９】
前記検索基準は、キーワードを含み、
前記検索基準に一致する各項目は、複数の単語を含み、
前記関連性閾値は、前記キーワードに一致する前記項目における定義された単語数の割合を含む、請求項１８に記載のシステム。
【請求項２０】
前記処理回路は、前記双方向メディアガイダンスアプリケーションのユーザのための個人化データに基づいて、前記関連性閾値を決定するようにさらに構成される、請求項１８に記載のシステム。
【請求項２１】
前記処理回路は、明示されたユーザメディア選好から前記ユーザ個人化データを生成するようにさらに構成される、請求項２０に記載のシステム。
【請求項２２】
前記処理回路は、前記双方向メディアガイダンスアプリケーションとのユーザ対話を監視することによって、前記ユーザ個人化データを生成するようにさらに構成される、請求項２０に記載のシステム。
【請求項２３】
前記関連性閾値を満たす項目の数が、最小数未満であることを決定することと、
前記関連性閾値を満たす項目の数が前記最小数未満であると決定されたことに応答して、前記関連性閾値を満たす項目の数が前記最小数を満たすまで前記関連性閾値を段階的に下げることと
を行うようにさらに構成される、請求項１８に記載のシステム。
【請求項２４】
前記処理回路は、時刻に基づいて、複数の関連性閾値から前記関連性閾値を選択するようにさらに構成され、前記複数のうちの各閾値は、異なる時刻に関連付けられる、請求項１８に記載のシステム。
【請求項２５】
前記処理回路は、前記表示の前記一致する項目を関連性によって順序付けるようにさらに構成される、請求項１８に記載のシステム。
【請求項２６】
前記関連性閾値は、前記処理回路において少なくとも部分的に実装される双方向メディアガイダンスアプリケーションのプログラミング命令において定義される、請求項１８に記載のシステム。
【請求項２７】
前記関連性閾値は、前記処理回路によって受け取られるデータにおいて特定される、請求項１８に記載のシステム。
【請求項２８】
検索された前記項目は、番組タイトル、番組一覧、番組内容、または番組の場面を記述するメタデータにおける単語である、請求項１８に記載のシステム。
【請求項２９】
前記検索基準は、ユーザ入力インターフェース機器から、前記処理回路によって受け取られる、請求項１８に記載のシステム。
【請求項３０】
前記検索基準は、前記双方向メディアガイダンスアプリケーションのユーザのための個人化データに基づいて、前記処理回路によって生成される、請求項１８に記載のシステム。
【請求項３１】
前記処理回路は、テキスト、グラフィック、または映像を使用して、前記表示された項目を表すようにさらに構成される、請求項１８に記載のシステム。
【請求項３２】
前記処理回路は、リストとして表示される前記表示された項目、グラフィックモザイク、または映像モザイクを有する前記表示を生成するようにさらに構成される、請求項１８に記載のシステム。
【請求項３３】
前記処理回路において少なくとも部分的に実装される双方向テレビ番組ガイドをさらに備え、前記番組ガイドは、前記処理回路を構成するためのプログラミング論理を含む、請求項１８に記載のシステム。
【請求項３４】
ユーザ入力機器を使用した、ユーザによる検索基準入力を受け取ることと、
前記検索基準に一致する番組を求めて、番組ガイドデータベースを検索することと、
前記一致する番組のどれが、前記ユーザに関連し得るかを決定することと、
前記関連する結果のみを含む検索結果表示を生成することと
を行うように構成される処理回路を備える、双方向テレビ番組ガイドシステム。
【手続補正２】
【補正対象書類名】明細書
【補正対象項目名】００１１
【補正方法】変更
【補正の内容】
【００１１】
本発明のさらなる特徴、その性質、および多様な利点は、添付の図面と、以下の発明を実施するための最良の形態とによりさらに明白になるであろう。
例えば、本発明は以下の項目を提供する。
（項目１）
双方向メディアガイダンスアプリケーションにおいて、関連性に基づいて検索結果を限定するための方法であって、
検索基準に一致する項目を求めて、メディアガイダンスアプリケーションデータのデータベースを検索するステップと、
上記検索基準に一致する項目が、関連性閾値を満たすか否かを判定するステップと、
上記一致する項目から、上記関連性閾値を満たすまたは超えると判定された一致する項目のみを有する表示を生成するステップと、
を含む、方法。
（項目２）
上記検索基準は、キーワードを含み、
上記検索基準に一致する各項目は、複数の単語を含み、
上記関連性閾値は、上記キーワードに一致する上記項目における定義された単語数の割合を含む、項目１に記載の方法。
（項目３）
上記双方向メディアガイダンスアプリケーションのユーザのための個人化データに基づいて、上記関連性閾値を決定するステップをさらに含む、項目１に記載の方法。
（項目４）
上記方法は、明示されたユーザメディア選好から上記ユーザ個人化データを生成するステップをさらに含む、項目３に記載の方法。
（項目５）
上記方法は、上記双方向メディアガイダンスアプリケーションとのユーザ対話を監視することによって、上記ユーザ個人化データを生成するステップをさらに  含む、項目３に記載の方法。
（項目６）
上記関連性閾値を満たす項目の数が、最小数を満たすか否かを判定するステップと、
上記関連性閾値を満たす項目の数が上記最小数未満であると判定されたことに応答して、上記関連性閾値を満たす項目の数が上記最小数を満たすまで上記関連性閾値を段階的に下げるステップと、
をさらに含む、項目１に記載の方法。
（項目７）
時刻に基づいて、複数の関連性閾値から上記関連性閾値を選択するステップをさらに含み、上記複数のうちの各閾値は、異なる時刻に関連付けられる、項目１に記載の方法。
（項目８）
上記表示は、上記表示における上記項目を関連性によって順序付けするステップを含む、項目１に記載の方法。
（項目９）
上記関連性閾値は、双方向メディアガイダンスアプリケーションのプログラミング命令において定義される、項目１に記載の方法。
（項目１０）
上記関連性閾値は、双方向メディアガイダンスアプリケーションによって受け取られるデータにおいて特定される、項目１に記載の方法。
（項目１１）
検索される項目は、番組タイトル、番組一覧、番組内容、または番組の場面を記述するメタデータにおける単語である、項目１に記載の方法。
（項目１２）
上記検索基準は、ユーザから受け取られる、項目１に記載の方法。
（項目１３）
上記検索基準は、上記双方向メディアガイダンスアプリケーションのユーザのための個人化データに基づいて、上記双方向メディアガイダンスアプリケーションによって生成される、項目１に記載の方法。
（項目１４）
上記表示を生成するステップは、テキスト、グラフィック、または映像を使用して、上記項目を表すステップを含む、項目１に記載の方法。
（項目１５）
上記表示を生成するステップは、リストとして表示される上記表示された項目、グラフィックモザイク、または映像モザイクを有する上記表示を生成するステップを含む、項目１に記載の方法。
（項目１６）
上記双方向メディアガイダンスアプリケーションは、双方向テレビ番組ガイドである、項目１に記載の方法。
（項目１７）
双方向テレビ番組ガイドにおいて検索結果を限定するための方法であって、
ユーザ入力インターフェースを使用して、ユーザによる検索基準入力を受け取るするステップと、
上記検索基準に一致する番組を求めて、番組ガイドデータベースを検索するステップと、
上記一致する番組のどれが、上記ユーザに関連し得るかを判定するステップと、
上記関連する結果のみを有する検索結果表示を生成するステップと、
を含む、方法。
（項目１８）
関連性に基づいて検索結果を限定するための双方向メディアガイダンスシステムであって、
検索基準に一致する項目を求めて、メディアガイダンスアプリケーションデータのデータベースを検索し、
上記検索基準に一致する項目が、関連性閾値を満たすか否かを判定し、
上記一致する項目から、上記関連性閾値を満たすまたは超えると判定された一致する項目のみを含む表示を生成する、
ように構成される処理回路を備える、双方向メディアガイダンスシステム。
（項目１９）
上記検索基準は、キーワードを含み、
上記検索基準に一致する各項目は、複数の単語を含み、
上記関連性閾値は、上記キーワードに一致する上記項目における定義された単語数の割合を含む、項目１８に記載のシステム。
（項目２０）
上記処理回路は、上記双方向メディアガイダンスアプリケーションのユーザのための個人化データに基づいて、上記関連性閾値を決定するようにさらに構成される、項目１８に記載のシステム。
（項目２１）
上記処理回路は、明示されたユーザメディア選好から上記ユーザ個人化データを生成するようにさらに構成される、項目２０に記載のシステム。
（項目２２）
上記処理回路は、上記双方向メディアガイダンスアプリケーションとのユーザ対話を監視することによって、上記ユーザ個人化データを生成するようにさらに構成される、項目２０に記載のシステム。
（項目２３）
上記関連性閾値を満たす項目の数が、最小数を満たすか否かを判定し、
上記関連性閾値を満たす項目の数が上記最小数未満であると判定されたことに応答して、上記関連性閾値を満たす項目の数が上記最小数を満たすまで上記関連性閾値を段階的に下げる、
ようにさらに構成される、項目１８に記載のシステム。
（項目２４）
上記処理回路は、時刻に基づいて、複数の関連性閾値から上記関連性閾値を選択するようにさらに構成され、上記複数のうちの各閾値は、異なる時刻に関連付けられる、項目１８に記載のシステム。
（項目２５）
上記処理回路は、上記表示の上記一致する項目を関連性によって順序付けるようにさらに構成される、項目１８に記載のシステム。
（項目２６）
上記関連性閾値は、上記処理回路において少なくとも部分的に実装される双方向メディアガイダンスアプリケーションのプログラミング命令において定義される、項目１８に記載のシステム。
（項目２７）
上記関連性閾値は、上記処理回路によって受け取られるデータにおいて特定される、項目１８に記載のシステム。
（項目２８）
検索された上記項目は、番組タイトル、番組一覧、番組内容、または番組の場面を記述するメタデータにおける単語である、項目１８に記載のシステム。
（項目２９）
上記検索基準は、ユーザ入力インターフェース機器から、上記処理回路によって受け取られる、項目１８に記載のシステム。
（項目３０）
上記検索基準は、上記双方向メディアガイダンスアプリケーションのユーザのための個人化データに基づいて、上記処理回路によって生成される、項目１８に記載のシステム。
（項目３１）
上記処理回路は、テキスト、グラフィック、または映像を使用して、上記表示された項目を表すようにさらに構成される、項目１８に記載のシステム。
（項目３２）
上記処理回路は、リストとして表示される上記表示された項目、グラフィックモザイク、または映像モザイクを有する上記表示を生成するようにさらに構成される、項目１８に記載のシステム。
（項目３３）
上記処理回路において少なくとも部分的に実装される双方向テレビ番組ガイドをさらに備え、上記番組ガイドは、上記処理回路を構成するためのプログラミング論理を含む、項目１８に記載のシステム。
（項目３４）
ユーザ入力機器を使用した、ユーザによる検索基準入力を受け取り、
上記検索基準に一致する番組を求めて、番組ガイドデータベースを検索し、
上記一致する番組のどれが、上記ユーザに関連し得るかを判断し、
上記関連する結果のみを含む検索結果表示を生成する、
ように構成される処理回路を備える、双方向テレビ番組ガイドシステム。
（項目３５）
双方向メディアガイダンスアプリケーション表示において、関連性閾値に基づいて検索結果をグラフィック的に表示するための方法であって、
検索基準に一致する項目を求めて、番組ガイドデータベースを検索するステップと、
上記一致する項目を有する双方向メディアガイダンスアプリケーション表示を生成するために、関連性閾値を満たす一致する項目の数に基づいて、グラフィック表示定義を決定するステップと、
上記双方向メディアガイダンスアプリケーション表示を生成するステップであって、上記表示は、上記一致する項目から、上記関連性閾値を満たすと判定された一致する項目のみを有し、上記表示の上記項目は、上記決定されたグラフィック表示定義に従って表示されるステップと、
を含む、方法。
（項目３６）
上記グラフィック表示定義は、上記関連性閾値を満たす一致する項目の数に基づいて、表示領域サイズを定義し、
上記双方向メディアガイダンスアプリケーション表示を生成するステップは、上記関連性閾値を満たすと判定された上記一致する項目を含む表示領域を有するように上記表示を生成するステップを含み、上記表示領域は、上記グラフィック表示定義によって定義されるサイズである、項目３５に記載の方法。
（項目３７）
上記グラフィック表示定義は、上記関連性閾値を満たす一致する項目の数に基づいて、一連の色を定義し、
上記双方向メディアガイダンスアプリケーション表示を生成するステップは、上記グラフィック表示定義によって定義される上記一連の色を有するように表示される、上記関連性閾値を満たすと判定された上記一致する項目を有するように上記表示を生成するステップを含む、項目３５に記載の方法。
（項目３８）
上記グラフィック表示定義は、上記関連性閾値を満たす一致する項目の数に基づいて、一連の双方向メディアガイダンスアプリケーションモジュールを特定し、
上記双方向メディアガイダンスアプリケーション表示を生成するステップは、上記関連性閾値を満たすと判定された上記一致する項目と、上記グラフィック表示定義によって特定される上記双方向メディアガイダンスアプリケーションモジュールとを有するように上記表示を生成するステップを含む、項目３５に記載の方法。
（項目３９）
上記グラフィック表示定義は、上記関連性閾値を満たす一致する項目の数に基づいて、上記モジュールの位置配置をさらに定義し、
上記双方向メディアガイダンスアプリケーション表示を生成するステップは、上記グラフィック表示定義によって定義される上記位置配置で、上記表示における上記モジュールを配置するステップを含む、項目３９に記載の方法。
（項目４０）
上記方法は、複数のグラフィック表示定義を格納するステップをさらに含み、各格納されたグラフィック表示定義は、上記関連性閾値を満たす一致する項目の数に関連付けられ、
上記グラフィック表示定義を判定するステップは、上記関連性閾値を満たす一致する項目の数に基づいて、上記格納された複数のグラフィック表示定義のうちの１つを選択するステップを含む、項目３５に記載の方法。
（項目４１）
上記グラフィック表示定義を判断するステップは、上記項目が表示される間の時刻に基づいて上記グラフィック表示定義を判断するステップも含む、項目３５に記載の方法。
（項目４２）
上記検索基準は、キーワードを含み、
上記検索基準に一致する各項目は、複数の単語を含み、
上記関連性閾値は、上記キーワードに一致する上記項目における定義された単語数の割合を含む、項目３５に記載の方法。
（項目４３）
上記双方向メディアガイダンスアプリケーションのユーザのための個人化データに基づいて、上記関連性閾値を決定するステップをさらに含む、項目３５に記載の方法。
（項目４４）
上記方法は、明示されたユーザメディア選好指定から上記ユーザ個人化データを生成するステップをさらに含む、項目４３に記載の方法。
（項目４５）
上記方法は、上記双方向メディアガイダンスアプリケーションとのユーザ対話を監視することによって、上記ユーザ個人化データを生成するステップをさらに含む、項目４３に記載の方法。
（項目４６）
上記双方向メディアガイダンスアプリケーションは、双方向テレビ番組ガイドである、項目３５に記載の方法。
（項目４７）
検索された上記項目は、番組タイトル、番組一覧、番組内容、番組の場面を記述するメタデータにおける単語である、項目３５に記載の方法。
（項目４８）
関連性閾値に基づいて検索結果をグラフィック的に表示するための双方向メディアガイダンスシステムであって、
検索基準に一致する項目を求めて、番組ガイドデータベースを検索し、
上記一致する項目を有する双方向メディアガイダンスアプリケーション表示を生成するために、関連性閾値を満たす一致する項目の数に基づいて、グラフィック表示定義を決定し、
上記双方向メディアガイダンスアプリケーション表示を生成し、上記表示は、上記一致する項目から、上記関連性閾値を満たすと判定された一致する項目のみを有し、上記表示の上記項目は、上記決定されたグラフィック表示定義に従って表示される、
ように構成される処理回路を備える、双方向メディアガイダンスシステム。
（項目４９）
上記グラフィック表示定義は、上記関連性閾値を満たす一致する項目の数に基づいて、表示領域サイズを定義し、
上記処理回路は、上記関連性閾値を満たすと判定された上記一致する項目を含む表示領域を有するように上記表示を生成するようにさらに構成され、上記表示領域は、上記グラフィック表示定義によって定義されるサイズである、項目４８に記載のシステム。
（項目５０）
上記グラフィック表示定義は、上記関連性閾値を満たす一致する項目の数に基づいて、一連の色を定義し、
上記処理回路は、上記グラフィック表示定義によって定義される上記一連の色を有するように表示される、上記関連性閾値を満たすと判定された上記一致する項目を有するように上記表示を生成するようにさらに構成される、項目４８に記載のシステム。
（項目５１）
上記グラフィック表示定義は、上記関連性閾値を満たす一致する項目の数に基づいて、一連の双方向メディアガイダンスアプリケーションモジュールを特定し、
上記処理回路は、上記関連性閾値を満たすと判定された上記一致する項目と、上記グラフィック表示定義によって特定される上記双方向メディアガイダンスアプリケーションモジュールとを有するように上記表示を生成するようにさらに構成される、項目４８に記載のシステム。
（項目５２）
上記グラフィック表示定義は、上記関連性閾値を満たす一致する項目の数に基づいて、上記モジュールの位置配置をさらに定義し、
上記処理回路は、上記グラフィック表示定義によって定義される上記位置配置で、上記表示における上記モジュールを配置するようにさらに構成される、項目５１に記載のシステム。
（項目５３）
上記処理回路は、
複数のグラフィック表示定義を記憶装置に格納し、各格納されたグラフィック表示定義は、上記関連性閾値を満たす一致する項目の数に関連付けられ、
上記関連性閾値を満たす一致する項目の数に基づいて、上記格納された複数のグラフィック表示定義のうちの１つを選択することによって、上記グラフィック表示定義を決定する、
ようにさらに構成される、項目４８に記載のシステム。
（項目５４）
上記処理回路は、上記項目が表示される間の時刻に基づいて、上記グラフィック表示定義を決定するようにさらに構成される、項目４８に記載のシステム。
（項目５５）
上記検索基準は、キーワードを含み、
上記検索基準に一致する各項目は、複数の単語を含み、
上記関連性閾値は、上記キーワードに一致する上記項目における定義された単語数の割合を含む、項目４８に記載のシステム。
（項目５６）
上記処理回路は、ユーザのための個人化データに基づいて上記関連性閾値を判定するようにさらに構成される、項目４８に記載のシステム。
（項目５７）
上記処理回路は、明示されたユーザメディア選好指定から上記ユーザ個人化データを生成するようにさらに構成される、項目５６に記載のシステム。
（項目５８）
上記処理回路は、上記処理回路において少なくとも部分的に実装される双方向メディアガイダンスアプリケーションとのユーザ対話を監視することによって、上記ユーザ個人化データを生成するようにさらに構成される、項目５６に記載のシステム。
（項目５９）
上記処理回路において少なくとも部分的に実装される双方向テレビ番組ガイドをさらに備え、上記番組ガイドは、上記処理回路を構成するためのプログラミング論理を含む、項目４８に記載のシステム。
（項目６０）
検索された上記項目は、番組タイトル、番組一覧、番組内容、または番組の場面を記述するメタデータにおける単語である、項目４８に記載のシステム。